(57)【要約】【課題】最適な受信系統をより正確に選択可能なダイバシティ受信機を提供する【解決手段】ＵＷエラーカウンタ６ａ、ｂはユニークワード誤り率ＵＷＥＲａ、ＵＷＥＲｂをそれぞれ算出する。制御部９は、Ａ受信系３０ａのユニークワード誤り率ＵＷＥＲａとＢ受信系３０ｂのユニークワード誤り率ＵＷＥＲｂとを比較し、比較結果に応じて第１ＳＷ１０及び第２ＳＷ１１をＡ受信系３０ａまたはＢ受信系３０ｂへ切り換える。これにより、Ａ受信系３０ａまたはＢ受信系３０ｂのＣＬＫ及びデータが信号処理部１２に出力される。【選択図】  図１
2004207955.tif 000002
【特許請求の範囲】
【請求項１】
第１アンテナと、前記第１アンテナの受信した信号である第１信号に含まれるユニークワードまたは前記ユニークワードの一部である第１ＵＷの誤りを検出する第１ＵＷ誤り検出手段と、前記第１ＵＷ誤り検出手段の誤り検出結果に基づいて前記第１ＵＷの誤り率を算出する第１ＵＷ誤り率算出手段とを有する第１受信系と、
第２アンテナと、前記第２アンテナの受信した信号である第２信号に含まれるユニークワードまたは前記ユニークワードの一部である第２ＵＷの誤りを検出する第２ＵＷ誤り検出手段と、前記第２ＵＷ誤り検出手段の誤り検出結果に基づいて前記第２ＵＷの誤り率を算出する第２ＵＷ誤り率算出手段とを有する第２受信系と、
前記第１受信系または第２受信系の出力を切り替える切替手段と、
前記第１ＵＷの誤り率及び前記第２ＵＷの誤り率に基づいて、前記第１受信系または前記第２受信系のいずれかの受信系を選択し、前記切替手段に前記選択した受信系への切り替えを指令する制御手段と、
を備えたダイバシティ受信機。
【請求項２】
前記第１ＵＷは前記第１信号に含まれるユニークワードの一部であり、
前記第２ＵＷは前記第２信号に含まれるユニークワードの一部であり、
前記第１ＵＷの各々は前記第１信号のフレームに分散配置されており、前記第２ＵＷの各々は前記第２信号のフレームに分散配置されている、請求項１に記載のダイバシティ受信機。
【請求項３】
前記第１受信系は、前記第１信号の受信電界強度を表す第１ＲＳＳＩ（Ｒｅｃｅｉｖｅｒ  Ｓｉｇｎａｌ  Ｓｔｒｅｎｇｔｈ  Ｉｎｄｉｃａｔｏｒ）信号を出力する第１ＲＳＳＩ信号出力手段と、前記第１信号の誤りを検出する第１誤り検出手段と、前記第１信号の誤り検出結果に基づいて前記第１信号の誤り率を表すＢＥＲ信号を出力する第１ＢＥＲ（Ｂｉｔ  Ｅｒｒｏｒ  Ｒａｔｅ）信号出力手段とをさらに有し、
前記第２受信系は、前記第２信号の受信電界強度を表す第２ＲＳＳＩ信号を出力する第２ＲＳＳＩ信号出力手段と、前記第２信号の誤りを検出する第２誤り検出手段と、前記第２信号の誤り検出結果に基づいて前記第２信号の誤り率を表すＢＥＲ信号を出力する第２ＢＥＲ信号出力手段とをさらに有し、
前記制御手段は、前記第１ＲＳＳＩ信号及び前記第２ＲＳＳＩ信号と、前記第１信号の誤り検出結果及び前記第２信号の誤り検出結果と、前記第１ＢＥＲ信号及び前記第２ＢＥＲ信号とにさらに基づいていずれかの受信系を選択し、前記切替手段に前記選択した受信系への切り替えを指令する、請求項１に記載のダイバシティ受信機。
【請求項４】
前記第１受信系は、前記第１信号の誤りを訂正する第１誤り訂正手段をさらに有し、
前記第２受信系は、前記第２信号の誤りを訂正する第２誤り訂正手段をさらに有する、
請求項１に記載のダイバシティ受信機。
【発明の詳細な説明】
【０００１】
【発明の属する技術分野】
本発明は、ダイバシティ受信機に関する。
【０００２】
【従来の技術】
空間的に異なる位置に設置されたアンテナを有する複数の受信系統から最適な受信系統を選択するダイバシティ受信機が広く普及している。例えば、特許文献１によると、２つのアンテナで受信した信号のレベルを各アンテナに接続されたＲＦ（Ｒａｄｉｏ  Ｆｒｅｑｕｅｎｃｙ）受信部に設けた受信信号強度検出器（ＲＳＳＩ；Ｒｅｃｅｉｖｅｒ  Ｓｉｇｎａｌ  Ｓｔｒｅｎｇｔｈ  Ｉｎｄｉｃａｔｏｒ）により検出し、このレベルに対応するＲＳＳＩ信号を出力する。また、ユニークワード（ＵＷ）信号により同期の取られた信号のビット誤り率（ＢｉｔＥｒｒｏｒ  Ｒａｔｅ）を算出し、ＢＥＲ信号を出力する。さらに、ＵＷ信号により同期がとれた場合、そのＵＷ信号を出力する。そして、ＵＷ信号の出力の有無と、ＢＥＲ信号で示されるビット誤り率と、ＲＳＳＩ信号のレベルとに基づいて受信系を選択する。このようにすれば、誤りの少ない受信系からの信号を選択して出力できるため、高品質の音声を出力することができる。
【０００３】
【特許文献１】
特開２０００−１８８５６６号公報
【０００４】
【発明が解決しようとする課題】
上記特許文献１に開示されるダイバシティ受信機では、同期のとれたＵＷ信号を出力する。従って、同期の確立においてＵＷ信号の誤りを所定程度許容する場合、異なる受信系統のＵＷ信号の誤りがいずれも所定の許容範囲内であればどちらの受信系統のＵＷ信号も出力される。この場合、ＵＷ信号の誤りが多い受信系統が選択されるおそれがある。また、ＢＥＲ信号にさらに基づいて受信系統を選択する場合であっても、例えば単純なパリティチェックでは信号の２ビットの誤りを検出できないなど、限界がある。これにより、いわゆる見逃し誤りが発生し、その見逃し誤りが発生している可能性が高い系を選択してしまうおそれがある。
【０００５】
本発明の目的は、最適な受信系統をより正確に選択可能なダイバシティ受信機を提供することにある。
【０００６】
【課題を解決するための手段】
請求項１に係るダイバシティ受信機は、第１アンテナと、第１ＵＷ誤り検出手段と、第１ＵＷ誤り率算出手段とを有する第１受信系と、第２アンテナと、第２ＵＷ誤り検出手段と、第２ＵＷ誤り率算出手段とを有する第２受信系と、切替手段と、制御手段と、を備えている。
第１ＵＷ誤り検出手段は、第１信号に含まれるユニークワードまたはユニークワードの一部である第１ＵＷの誤りを検出する。第１ＵＷ誤り率算出手段は、第１ＵＷ誤り検出手段の誤り検出結果に基づいて第１ＵＷの誤り率を算出する。第２ＵＷ誤り検出手段は、第２信号に含まれるユニークワードまたはユニークワードの一部である第２ＵＷの誤りを検出する。第２ＵＷ誤り率算出手段は、第２ＵＷ誤り検出手段の誤り検出結果に基づいて第２ＵＷの誤り率を算出する。切替手段は、第１受信系または第２受信系の出力を切り替える。制御手段は、第１ＵＷの誤り率及び第２ＵＷの誤り率に基づいて、第１受信系または第２受信系のいずれかの受信系を選択し、切替手段に選択した受信系への切り替えを指令する。
【０００７】
ここでは、第１信号に含まれるユニークワードまたはユニークワードの一部である第１ＵＷの誤りが検出される。第１ＵＷの誤りの検出結果に基づいて第１ＵＷの誤り率が算出される。第２信号に含まれるユニークワードまたはユニークワードの一部である第２ＵＷの誤りが検出される。第２ＵＷの誤りの検出結果に基づいて第２ＵＷの誤り率が算出される。第１ＵＷの誤り率及び第２ＵＷの誤り率に基づいて、第１受信系または第２受信系のいずれかの受信系が選択される。そして、選択した受信系へ出力が切り替えられる。
【０００８】
このように、受信したユニークワードの誤り率に基づいて受信系統が選択されるため、最適な受信系統をより正確に選択できる。特に、信号を送信する送信機及びダイバシティ受信機は、信号の同期確立のために共通のユニークワードを使用するため、同期確立後はユニークワードの誤りを正確に検出でき、見逃し誤りが発生している可能性が低く、最適な受信系統をより正確に選択できる。
請求項２に係るダイバシティ受信機は、請求項１に記載のダイバシティ受信機において、第１ＵＷは第１信号に含まれるユニークワードの一部であり、第２ＵＷは第２信号に含まれるユニークワードの一部であり、第１ＵＷの各々は第１信号のフレームに分散配置されており、第２ＵＷの各々は第２信号のフレームに分散配置されている。
【０００９】
ここでは、ユニークワードを分散させることでバースト誤りに強くなる。また、分散させることで、より正確にフレーム全体の誤り率を知ることができ、アンテナ切り替えの精度が増す。
請求項３に係るダイバシティ受信機は、請求項１に記載のダイバシティ受信機において、第１受信系は、第１信号の受信電界強度を表す第１ＲＳＳＩ（Ｒｅｃｅｉｖｅｒ  Ｓｉｇｎａｌ  Ｓｔｒｅｎｇｔｈ  Ｉｎｄｉｃａｔｏｒ）信号を出力する第１ＲＳＳＩ信号出力手段と、第１信号の誤りを検出する第１誤り検出手段と、第１信号の誤り検出結果に基づいて第１信号の誤り率を表すＢＥＲ信号を出力する第１ＢＥＲ（Ｂｉｔ  Ｅｒｒｏｒ  Ｒａｔｅ）信号出力手段とをさらに有し、
第２受信系は、第２信号の受信電界強度を表す第２ＲＳＳＩ信号を出力する第２ＲＳＳＩ信号出力手段と、第２信号の誤りを検出する第２誤り検出手段と、第２信号の誤り検出結果に基づいて第２信号の誤り率を表すＢＥＲ信号を出力する第２ＢＥＲ信号出力手段とをさらに有し、制御手段は、第１ＲＳＳＩ信号及び第２ＲＳＳＩ信号と、第１信号の誤り検出結果及び第２信号の誤り検出結果と、第１ＢＥＲ信号及び第２ＢＥＲ信号とにさらに基づいていずれかの受信系を選択し、切替手段に選択した受信系への切り替えを指令する。
【００１０】
ここでは、第１受信系及び第２受信系のＢＥＲ信号及びＲＳＳＩ信号が出力される。第１信号の誤り検出結果及び第２信号の誤り検出結果と、第１受信系及び第２受信系のＢＥＲ信号及びＲＳＳＩ信号とにさらに基づいていずれかの受信系が選択される。そして、選択した受信系へ出力が切り替えられる。
このように、ここでは、信号の誤り検出結果、ＢＥＲ信号、ＲＳＳＩ信号を切り替えの判断基準に加えることで、さらにアンテナ切り替えの精度が増す。
請求項４に係るダイバシティ受信機は、請求項１に記載のダイバシティ受信機において、第１受信系は、第１信号の誤りを訂正する第１誤り訂正手段をさらに有し、第２受信系は、第２信号の誤りを訂正する第２誤り訂正手段をさらに有する。
【００１１】
ここでは、第１信号の誤りが訂正される。また、第２信号の誤りが訂正される。
このように、ここでは誤り訂正を行ってデータ出力が途切れないようにし、特に音声データの途切れを防ぐことができる。
【００１２】
【発明の実施の形態】
＜第１実施形態＞
（１）構成
図１は、本発明を利用したダイバシティ受信機（以下、単に受信機という）２０の概略構成図である。受信機２０は、２つの受信系統であるＡ受信系３０ａ及びＢ受信系３０ｂと、制御部９と、第１スイッチ（ＳＷ）１０と、第２ＳＷ１１と、信号処理部１２と、Ｄ／Ａ変換器１３と、増幅器１４とを備えている。Ａ受信系３０ａ及びＢ受信系３０ｂはそれぞれ、ＲＦ受信部２ａ、ｂと、クロック再生部４ａ、ｂと、ユニークワード（ＵＷ）検出器５ａ、ｂと、ＵＷエラーカウンタ６ａ、ｂと、エラー検出訂正器７ａ、ｂと、ＢＥＲカウンタ８ａ、ｂとを備えている。制御部９は、Ａ受信系３０ａ及びＢ受信系３０ｂのＲＦ受信部２ａ、ｂ、ＵＷエラーカウンタ６ａ、ｂ、エラー検出訂正器７ａ、ｂと接続されている。Ａ受信系及びＢ受信系のアンテナ１ａ、ｂは、空間的に異なる位置に設置され、それぞれＲＦ受信部２ａ、ｂに接続される。ＲＦ受信部２ａ、ｂは、アンテナ１ａ、ｂが受信した信号を復調し、クロック再生部４ａ、ｂに復調信号を出力する。また、ＲＦ受信部２ａ、ｂは、それぞれ公知のＲＳＳＩ（Ｒｅｃｅｉｖｅｒ  Ｓｉｇｎａｌ  Ｓｔｒｅｎｇｔｈ  Ｉｎｄｉｃａｔｏｒ）回路を有しており、それぞれの受信系統の信号レベルに対応するＲＳＳＩ信号であるＲＳＳＩａ、ＲＳＳＩｂを制御部９に出力する。クロック再生部４ａ、ｂは、図示しないクロック再生回路を有している。そして、図示しない受信機マスタクロックから出力されるマスタクロックを用いて復調信号からクロック信号（ＣＬＫ）を再生し、データ信号とＣＬＫとをＵＷ検出器５ａ、ｂ、エラー検出訂正器７ａ、ｂを介してそれぞれ第１スイッチ１０ａ、ｂ、第２スイッチ１１ａ、ｂに出力する。
【００１３】
ＵＷ検出器５ａ、ｂは、図４に例示するようなｋビットの分割ユニークワードＤＵＷ１〜ＤＵＷｊからなるｊ＊ｋビットのユニークワードＵＷを記憶している。ここで、この分割ユニークワードＤＵＷ１〜ＤＵＷｊは、図５に例示するようにフレームに含まれるｉビットのデータＤＡＴＡ１〜ＤＡＴＡｊの間に分散配置されている。なお、このＵＷは、図６に例示するように分散配置せずフレームの先頭に配置してもよいが、分散配置するほうがバースト誤りに強くなる。ＵＷ検出器５ａ、ｂは、フレーム中の所定の位置から抽出したデータである抽出データとユニークワードとが完全に一致するか、あるいは完全に一致しないが一致しないビット数が所定の数の範囲内である場合、フレームの同期を確立し、ＵＷ検出信号ＵＷａ、ＵＷｂをそれぞれＵＷエラーカウンタ６ａ、ｂに出力する。また、ＵＷ検出器５ａ、ｂは、フレーム中の所定の位置から抽出したデータである抽出データとユニークワードとが完全に一致せず、かつ一致しないビット数が所定の数の範囲内でない場合、ＵＷエラー検出信号ＵＷＥａ、ＵＷＥｂをそれぞれＵＷエラーカウンタ６ａ、ｂに出力する。ここで、フレーム中の所定の位置とは、受信データのうちユニークワードが配置されている位置であり、図５に例示するようにユニークワードがフレーム中に分散配置されている場合はその分散配置された位置である。
【００１４】
ＵＷエラーカウンタ６ａ、ｂは所定の時間Ｔ１内（例えば、１フレームに相当する時間）にそれぞれＵＷ検出器５ａ、ｂから出力されたＵＷａ及びＵＷＥａ、ＵＷｂ及びＵＷＥｂの数をそれぞれカウントする。そして、Ｔ１内に出力されたＵＷａ及びＵＷＥａの総数、ＵＷｂ及びＵＷＥｂの総数でＵＷＥａ、ＵＷＥｂをそれぞれ割り、ユニークワード誤り率ＵＷＥＲａ、ＵＷＥＲｂをそれぞれ算出する。そして、ユニークワード誤り率ＵＷＥＲａ、ＵＷＥＲｂをデジタルデータで示すユニークワード誤り率信号（以下、ユニークワード誤り率と同じくＵＷＥＲａ、ＵＷＥＲｂであらわす）を制御部９に出力する。エラー検出訂正器７ａ、ｂは、復調信号の誤りを検出して公知のビットエラー検出信号（ＢＥ）信号であるＢＥａ、ＢＥｂをそれぞれ制御部９及びＢＥＲカウンタ８に出力する。また、エラー検出訂正器７ａ、ｂは、誤りを検出した場合、例えば公知のＢＣＨ符号を用いて誤りの訂正を行う。ＢＥＲカウンタ８ａ、ｂは、所定の時間Ｔ２内（例えば、１００ｍｓｅｃ）にそれぞれエラー検出訂正器７ａ、ｂから出力されたＢＥａ、ＢＥｂの数をカウントする。そして、Ｔ２内にエラー検出訂正器７ａ、ｂが取り込んだ総ビット数でＢＥａ、ＢＥｂを割り、誤り率ＢＥＲａ、ＢＥＲｂをそれぞれ算出する。そして、誤り率ＢＥＲａ、ＢＥＲｂをデジタルデータで示す誤り率信号（以下、誤り率と同じくＢＥＲａ、ＢＥＲｂであらわす）を制御部９に出力する。制御部９は、後述の受信系選択処理を行って第１ＳＷ１０及び第２ＳＷ１１を制御し、信号処理部１２へのＣＬＫ及びデータ信号の入力をＡ受信系３０ａまたはＢ受信系３０ｂに切り換える。
【００１５】
信号処理部１２は、第１ＳＷ１０を介して入力されたデータ信号について、ＲＦ受信部２ａ、ｂから出力されるＲＳＳＩａまたはＲＳＳＩｂ、またはエラー検出訂正器７ａ、ｂから出力される誤り率信号で示される誤り率ＢＥＲａ、ＢＥＲｂが所定の値以下の場合、音声のミュート、音声復号化処理（デコード）、ゲイン調整などの所定の処理を第２ＳＷ１１を介して入力されたＣＬＫに同期して行う。そして、所定の処理がされたデータ信号をＤ／Ａ変換器１３に出力する。
Ｄ／Ａ変換器１３は、データ信号をアナログ音声信号に変換し増幅器１４に出力する。増幅器１４は、スピーカ１５と接続されており、アナログ音声信号を増幅しスピーカ１５に出力する。スピーカ１５は、アナログ音声信号を空気中に拡声する。
【００１６】
（２）処理の流れ
以下、制御部９が行う処理を説明する。
（２−１）受信系選択処理
まず、制御部９が行う受信系選択処理の流れを図２のフローチャートに基づいて説明する。この処理では、制御部９は、第１ＳＷ１０及び第２ＳＷ１１を制御し、信号処理部１２へのＣＬＫ及びデータ信号の入力をＡ受信系３０ａまたはＢ受信系３０ｂに切り換える。この処理は、受信機２０の電源投入時に開始し、受信機２０の電源切断時に終了する。
【００１７】
ステップＳ１：制御部９は、Ａ受信系３０ａでエラーを検出したか否かを判断する。即ち、制御部９は、誤り率ＢＥＲａ≠０か否かを判断する。ＢＥＲａ≠０の場合、ステップＳ４へ移行する。ＢＥＲａ＝０の場合、ステップＳ２へ移行する。
ステップＳ２：制御部９は、Ｂ受信系３０ｂでエラーを検出したか否かを判断する。即ち、制御部９は、誤り率ＢＥＲｂ≠０か否かを判断する。ＢＥＲｂ≠０の場合、ステップＳ７へ移行する。ＢＥＲｂ＝０の場合、ステップＳ３へ移行する。
【００１８】
ステップＳ３：制御部９は、Ａ受信系３０ａのユニークワード誤り率ＵＷＥＲａとＢ受信系３０ｂのユニークワード誤り率ＵＷＥＲｂとを比較し、ＵＷＥＲａ≧ＵＷＥＲｂか否かを判断する。ＵＷＥＲａ≧ＵＷＥＲｂの場合、ステップＳ８へ移行する。ＵＷＥＲａ＜ＵＷＥＲｂの場合、ステップＳ７へ移行する。
ステップＳ４：：制御部９は、Ｂ受信系３０ｂでエラーを検出したか否かを判断する。即ち、制御部９は、ＢＥＲｂ≠０か否かを判断する。ＢＥＲｂ≠０の場合、ステップＳ５へ移行する。ＢＥＲｂ＝０の場合、ステップＳ８へ移行する。
【００１９】
ステップＳ５：制御部９は、後述の重みづけサブルーチンを実行し、Ａ受信系３０ａの選択の重みＷａ及びＢ受信系３０ｂの選択の重みＷｂを算出する。
ステップＳ６：制御部９は、Ｗａ≧Ｗｂか否かを判断する。Ｗａ≧Ｗｂの場合、ステップＳ７へ移行する。Ｗａ＜Ｗｂの場合、ステップＳ８へ移行する。
ステップＳ７：制御部９は、第１ＳＷ１０をＡ受信系３０ａへ、第２ＳＷ１１をＡ受信系３０ａへ切り換える。これにより、Ａ受信系３０ａのＣＬＫ及びデータが信号処理部１２に出力される。
【００２０】
ステップＳ８：制御部９は、第２ＳＷ１０をＢ受信系３０ｂへ、第２ＳＷ１１をＢ受信系３０ｂへ切り換える。これにより、Ｂ受信系３０ｂのＣＬＫ及びデータが信号処理部１２に出力される。
以上のような受信系選択処理が行われれば、各受信系でのエラー検出の有無及びユニークワード誤り率に応じて受信系が選択される。または、後述の重みづけサブルーチンにより、各受信系のＲＳＳＩ信号の強度、誤り率、ユニークワード誤り率の大小に基づいてＡ受信系３０ａまたはＢ受信系３０ｂの選択の重みが算出され、選択の重みの大きい受信系が選択される。従って、各受信系のＲＳＳＩ信号の強度及び誤り率だけで受信系統を選択するよりも受信系統選択の正確さが増す。
【００２１】
（２−２）重みづけサブルーチン
次に、重みづけサブルーチンの処理の流れを図３のフローチャートに基づいて説明する。この処理では、Ａ受信系３０ａの選択の重みＷａとＢ受信系３０ｂの選択の重みＷｂが算出される。このサブルーチンは、前述の受信系選択処理がステップＳ５に移行した時に実行される。
ステップＳ１１〜Ｓ１３：制御部９は、Ａ受信系３０ａのユニークワード誤り率ＵＷＥＲａとＢ受信系３０ｂのユニークワード誤り率ＵＷＥＲｂとを比較し、ＵＷＥＲａ≧ＵＷＥＲｂか否かを判断する（Ｓ１１）。ＵＷＥＲａ≧ＵＷＥＲｂの場合、ステップＳ１２へ移行し、制御部９は、ＷａにＷ１を加えて記憶する。ＵＷＥＲａ＜ＵＷＥＲｂの場合、ステップＳ１３へ移行し、制御部９は、ＷｂにＷ１を加えて記憶する。なお、Ｗ１は所定の正の数であり、ダイバシティ受信機２０の設置条件や仕様などに応じて経験的に定められる。
【００２２】
ステップＳ１４〜１６：制御部９は、Ａ受信系３０ａの受信電界強度を表すＲＳＳＩａとＢ受信系３０ｂの受信電界強度を表すＲＳＳＩｂとを比較し、ＲＳＳＩａ≧ＲＳＳＩｂか否かを判断する（Ｓ１４）。ＲＳＳＩａ≧ＲＳＳＩｂの場合、ステップＳ１５へ移行し、制御部９は、ＷａにＷ２を加えて記憶する。ＲＳＳＩａ＜ＲＳＳＩｂの場合、ステップＳ１６へ移行し、制御部９は、ＷｂにＷ２を加えて記憶する。なお、Ｗ２は所定の正の数であり、ダイバシティ受信機２０の設置条件や仕様などに応じて経験的に定められる。
【００２３】
ステップＳ１７〜１９：制御部９は、Ａ受信系３０ａの誤り率ＢＥＲａとＢ受信系３０ｂの誤り率ＢＥＲｂとを比較し、ＢＥＲａ≧ＢＥＲｂか否かを判断する（Ｓ１７）。ＢＥＲａ≧ＢＥＲｂの場合、ステップＳ１８へ移行し、制御部９は、ＷａにＷ３を加えて記憶する。ＢＥＲａ＜ＢＥＲｂの場合、ステップＳ１９へ移行し、制御部９は、ＷｂにＷ３を加えて記憶する。そして、受信系選択処理のステップＳ６へ移行する。なお、Ｗ３は所定の正数であり、ダイバシティ受信機２０の設置条件や仕様などに応じて経験的に定められる。
【００２４】
以上のような重みづけサブルーチンが行われれば、ＲＳＳＩ信号の強度、誤り率、ユニークワード誤り率に応じてＡ受信系３０ａ及びＢ受信系３０ｂの選択の重みが算出される。
【００２５】
【発明の効果】
本発明を用いれば、最適な受信系統をより正確に選択可能なダイバシティ受信機を実現できる。
【図面の簡単な説明】
【図１】第１実施形態に係るダイバシティ受信機の概略構成図。
【図２】受信系選択処理の流れを示すフローチャート。
【図３】重みづけサブルーチンの流れを示すフローチャート。
【図４】ユニークワード及び分割ユニークワードの概念説明図。
【図５】フレームの概念説明図。
【図６】フレームの概念説明図。
【符号の説明】
６：ＵＷエラーカウンタ
９：制御部
２０：ダイバシティ受信機
【図１】
2004207955.tif 000003
【図２】
2004207955.tif 000004
【図３】
2004207955.tif 000005
【図４】
2004207955.tif 000006
【図５】
2004207955.tif 000007
【図６】
2004207955.tif 000008